【事件の表示】
　平成　７年特許願第１８３０２４号「歯科診療装置」拒絶査定不服審判事件〔平成　９年　２月　７日出願公開、特開平　９−　３３８５４号〕について、次のとおり審決する。
【結　論】
　本件審判の請求は、成り立たない。
【理　由】
１．手続の経緯 
　本願は、平成７年７月１９日の出願であって、平成１７年１月２０日付けで拒絶査定がなされ、平成１７年３月２日に拒絶査定不服審判の請求がなされるとともに、平成１７年４月１日付けで手続補正がなされたものである。
　 
２．平成１７年４月１日付けの手続補正についての補正却下の決定
　[結論] 
　平成１７年４月１日付け手続補正（以下、「本件補正」という。）を却下する。 
　 
　[理由] 
　本件補正の請求項１、２に関する補正は、補正前の請求項１〜３のいずれにも記載されている「入力装置及び又はコンピュータを診療装置の内部に備えた」という事項を削除する補正を含むものであるから、特許請求の範囲の減縮を目的とするものとは認められない。
　また、上記請求項１、２に関する補正が、誤記の訂正を目的とするものであるとも、明りょうでない記載の釈明を目的とするものであるとも認められない。
　したがって、本件補正は、平成１８年改正前特許法第１７条の２第４項の規定に違反しているから、同法第１５９条第１項の規定により読み替えて準用する同法第５３条第１項の規定により却下すべきものである。
　
３．本願発明について 
　本件補正は上記のとおり却下されたので、本願の請求項３に係る発明（以下、「本願発明」という。）は、平成１６年１２月２７日付け手続補正書により補正された特許請求の範囲の請求項３に記載された事項により特定される、以下のとおりのものである。 
「プロジェクター及びスクリーンを具備する投影機の、プロジェクターとスクリーンをブラケットテーブルに備えると共に、前記プロジェクターにて投影する歯科診療用Ｘ線画像あるいは口腔内映像等の各種データを表示し管理する入力装置及び又はコンピュータを診療装置の内部に備えたことを特徴とする歯科診療装置。」 
　 
４．引用刊行物 
　原査定の拒絶の理由に引用された、本願の出願前に日本国内に頒布された刊行物である特開平０７−４６１８５号（以下、「引用刊行物１」という。）には、図面とともに、以下の事項が記載されている。 
ア．「診療用各種データを管理するホストコンピューターと、歯科治療装置に備えた小型コンピュターとの間で歯科治療に関するデータを光学的通信手段を用いて伝送することを特徴とした歯科診療システム。」（特許請求の範囲、請求項１） 
イ．「本願は、歯科診療所内の歯科治療椅子に備えたコンピューター、Ｘ線写真撮影装置に備えた画像処理コンピューター、窓口会計事務処理機及び診療報酬請求事務などを処理するコンピューターなどの相互間で各種データの交換を行う歯科診療システムに関する。」（段落【０００１】） 
ウ．「以下本願の実施例を図面にもとづいて詳述すると、図１は、本発明の歯科診療システムを示す構成図、図２はその回路構成を示すブロック図である。本歯科診療システムは、歯科治療椅子１、うがいスタンド２、治療用照明装置３及びアーム４によって支えられる歯科用ハンドピース、スケーラ、歯科用シリンジなどの各種治療用器具や口腔内観察用ＣＣＤカメラを載置すると共に治療記録、投薬記録などのカルテデータ、保険データ、Ｘ線画像データ，口腔内を撮影した画像データ等の入力が可能で、かつ、歯科治療椅子の治療姿勢、うがい用スタンドのコップに供給する温水の水温及びその供給量、治療用照明装置の照度、歯科治療器具の作動条件など治療作業に必要な諸条件を設定する小型コンピューター５を搭載したブラケットテーブル６を夫々具備する歯科治療装置７と、机８に備えた各種データを格納するホストコンピューター９とで構成され、図１，２は、小型コンピューター５とホストコンピューター９とを赤外光１０による通信手段を介してデータのやりとりができるように構成した場合の実施例を示している。」（段落【０００７】） 
エ．「前記ホストコンピューター９を設置した机８には、支柱１１が立設してあり、その上端部に、発光ユニット１２と受光ユニット１３とが設けてあり、また、治療用照明装置３に設けた支柱１４の上端部にも前記発光ユニット１２及び受光ユニット１３にそれぞれ対向する発光ユニット１５及び受光ユニット１６が設けてある。」（段落【０００８】） 
オ．「回路構成のブロック図を示す図２において、小型コンピューター５の出力側がエンコーダ１７，アンプ１８及び赤外線発光ダイオード１９を備えた前記発光ユニット１５に接続され、ホストコンピューター９の入力側がフォトダイオード２０，アンプ２１，デコーダ２２及び波形整形回路２３を備えた前記受光ユニット１３に接続され、さらに、ホストコンピューター９の出力側がエンコーダ２４，アンプ２５及び赤外線発光ダイオード２６を備えた前記発光ユニット１２に接続され、小型コンピューター５の入力側がフォトダイオード２７，アンプ２８，デコーダ２９及び波形整形回路３０を備えた前記受光ユニット１６に接続されてある。」（段落【０００９】） 
カ．「しかして、小型コンピューター５で作成された各種のデータをホストコンピューター９に送信する場合、小型コンピューター５から出力されるシリアルデータ信号３１ａをエンコーダ１７で変調してコード化し、アンプ１８を通して赤外線発光ダイオード１９を駆動して、その赤外光１０ａを放射する。放射された赤外光１０ａは、机８の支柱１１に具備された受光ユニット１３のフォトダイオード２０で受光して電気信号に変換され、この電気信号はアンプ２１で増幅され、増幅された信号はデコーダ２２で復調され波形整形回路２３で波形を整えて再生し、シリアルデータ信号３１ｂとしてホストコンピューター９に入力され該ホストコンピューター９に格納されると共に、該データはホストコンピューター９に具備したディスプレイ４１に表示される。」（段落【００１０】） 
キ．「しかして、Ｘ線画像処理コンピューター３５で作成されたＸ線画像データは、発光ユニット３８から受光ユニット１２及び受光ユニット１６に赤外光を介して伝送され、ホストコンピューター９においては、その記憶装置４０に記憶されると共にそのディスプレー４１上に表示される。同様にＸ線画像処理コンピューター３５で作成されたＸ線画像データは、発光ユニット３８から受光ユニット１６に赤外光を介して、小型コンピュター５に取り込まれ、そのディスプレー４２上に表示され、従って医師は歯科治療椅子１での治療時にその場で患者のＸ線画像を参照することができる。」（段落【００１４】）
ク．図１には、ディスプレイ４２がブラケットテーブル６に搭載されている点が、図示されている。
　以上の記載事項及び図示内容を総合すると、上記引用刊行物１には、以下の発明（以下、「引用発明」という。）が記載されている。 
「歯科治療椅子１、うがいスタンド２などの各種治療用器具や口腔内観察用ＣＣＤカメラを載置すると共にＸ線画像データ，口腔内を撮影した画像データ等の入力が可能で、かつ、歯科治療器具の作動条件など治療作業に必要な諸条件を設定する小型コンピューター５とＸ線画像データ等を表示するディスプレイ４２を搭載したブラケットテーブル６を具備する歯科治療装置。」
　
５．対比・判断 
　そこで、本願発明と引用発明とを対比すると、各文言の意味、機能又は作用からみて、後者における「歯科治療装置」は前者における「歯科診療装置」に相当し、以下同様、「ブラケットテーブル６」は「ブラケットテーブル」に、「Ｘ線画像データ，口腔内を撮影した画像データ等の入力が可能で、かつ、歯科治療器具の作動条件など治療作業に必要な諸条件を設定する小型コンピューター５」「を具備する」は「歯科診療用Ｘ線画像あるいは口腔内映像等の各種データを表示し管理する入力装置及び又はコンピュータを診療装置の内部に備えた」にそれぞれ相当すると認められる。 
　また、後者の「ディスプレイ４２を搭載したブラケットテーブル６」と前者の「プロジェクター及びスクリーンを具備する投影機の、プロジェクターとスクリーンをブラケットテーブルに備える」とは、「表示装置をブラケットテーブルに備える」点で共通する。
　したがって、両者は、 
「表示装置をブラケットテーブルに備えると共に、表示装置にて表示する歯科診療用Ｘ線画像あるいは口腔内映像等の各種データを表示し管理する入力装置及び又はコンピュータを診療装置の内部に備えた歯科診療装置。」 の点で一致し、以下の点で相違する。 
　相違点：本願発明においては、ブラケットテーブルが備える表示装置がプロジェクター及びスクリーンを具備する投影機の、プロジェクターとスクリーンであるのに対して、引用発明においては、ディスプレイである点。 
　そこで、上記相違点について検討する。 
　プロジェクター及びスクリーンを一体的に備えた投影機は、特開平０５−３３６４７９号公報、特開平０５−３００４５４号公報にも記載されているように、本願出願前に周知技術であり、これを引用発明の表示装置として採用し上記相違点に係る本願発明の構成とすることは、当業者であれば容易に想到し得ることである。
　また、本願発明の効果は、引用発明及び上記周知技術から当業者が予測し得る範囲内のものであって，格別のものということはできない。
　 
６．むすび 
　以上のとおりであるから、本願発明は、引用発明及び上記周知技術に基いて、当業者が容易に発明をすることができたものであるから、特許法第２９条第２項の規定により特許を受けることができない。 
　よって、結論のとおり審決する。